(57)【要約】      （修正有）【課題】良好な放熱性を得ることが可能なバックライト装置、表示装置およびテレビ受信装置を提供する。【解決手段】光源部材３４と、前記光源部材３４を内部に配置する角形のバックライトシャーシ２１と、前記バックライトシャーシ２１の上辺部に沿って配置され前記バックライトシャーシ２１の外部に連通する吸気口および排気口２６を有するシャーシ補強パイプ２３Ａと、前記吸気口及び前記排気口２６を通して前記シャーシ補強パイプ２３Ａ内に外気を流通させるパイプ用冷却ファン２９とを備える。【選択図】図４
2010097859.tif 000002
【特許請求の範囲】
【請求項１】
光源部材と、前記光源部材を内部に配置する角形のバックライトシャーシと、前記バックライトシャーシの上辺部に沿って配置され前記バックライトシャーシの外部に連通する吸気口および排気口を有するシャーシ補強パイプと、前記吸気口及び前記排気口を通して前記シャーシ補強パイプ内に外気を流通させるパイプ用冷却ファンとを備えるバックライト装置。
【請求項２】
前記バックライトシャーシの裏面には、放熱フィンが備えられていることを特徴とする請求項１に記載のバックライト装置。
【請求項３】
前記放熱フィンを覆って同放熱フィンの周りに空気の通過路を形成するとともに所定位置にフィン用吸気口およびフィン用排気口が設けられた風路形成部材と、前記風路形成部材内に外気を循環させるフィン用冷却ファンとを備える請求項２に記載のバックライト装置。
【請求項４】
前記シャーシ補強パイプの吸気口および排気口は、同シャーシ補強パイプのうち前記バックライトシャーシの裏側に対応する部分に設けられている請求項１ないし請求項３のいずれか一項に記載のバックライト装置。
【請求項５】
前記フィン用吸気口は前記風路形成部材の下端寄り位置に設けられ、前記フィン用排気口は前記風路形成部材の上端寄り位置に設けられている請求項３又は請求項４に記載のバックライト装置。
【請求項６】
前記フィン用吸気口と前記フィン用排気口とは前記風路形成部材の幅方向における位置がほぼ等しくなるように設けられている請求項５に記載のバックライト装置。
【請求項７】
前記シャーシ補強パイプの吸気口と前記フィン用排気口とは、水平方向にずれた位置に設けられていることを特徴とする請求項３ないし請求項６のいずれか一項に記載のバックライト装置。
【請求項８】
前記フィン用排気口は複数が水平方向に並んで配置され、前記シャーシ補強パイプの吸気口は、並列する前記フィン用排気口の水平方向の外側に位置して設けられている請求項３ないし請求項７のいずれか一項に記載のバックライト装置。
【請求項９】
前記シャーシ補強パイプの吸気口と前記フィン用排気口とは前記バックライトシャーシの表裏方向にずれた位置に設けられていることを特徴とする請求項３ないし請求項８のいずれか一項に記載のバックライト装置。
【請求項１０】
前記シャーシ補強パイプの吸気口と前記フィン用排気口とは水平方向においては一列に並ぶように配置されている請求項９に記載のバックライト装置。
【請求項１１】
前記光源部材は、放電管である請求項１ないし請求項１０のいずれか一項に記載のバックライト装置。
【請求項１２】
前記放電管は熱陰極管である請求項１１に記載のバックライト装置。
【請求項１３】
請求項１ないし請求項１２のいずれか一項に記載のバックライト装置と、前記バックライト装置からの光を利用して表示を行う表示パネルとを備える表示装置。
【請求項１４】
前記表示パネルが液晶を用いた液晶パネルである請求項１３に記載の表示装置。
【請求項１５】
請求項１３又は請求項１４に記載の表示装置を備えることを特徴とするテレビ受信装置。
【請求項１６】
前記表示装置を表裏から挟むようにして収容するキャビネットを有し、このキャビネットのうち裏側のキャビネットには、前記キャビネットを内外方向に貫通する貫通口が設けられていることを特徴とする請求項１５に記載のテレビ受信装置。
【発明の詳細な説明】
【技術分野】
【０００１】
本発明は、表示装置用のバックライト装置、表示装置およびテレビ受信装置に関する。
【背景技術】
【０００２】
従来より、例えば液晶表示装置用のバックライト装置として、特許文献１に記載のものが知られている。このバックライト装置は、例えば金属板材などからなるバックライトシャーシと、このバックライトシャーシ内に配置される光源部材とを有している。
【特許文献１】特開２００７−２２６０６８公報
【発明の開示】
【発明が解決しようとする課題】
【０００３】
ところで、上記のようなバックライト装置においては、光源部材から発生する熱は、バックライトシャーシに伝達して外部へ放散されるようになっている。しかしながら、近年においては液晶表示装置の大型化が顕著であるため、これに伴って光源部材から発生する熱の総量が増え、十分な放熱がなされなくなることが懸念される。十分な放熱がなされないと、バックライトシャーシ内の温度が上昇し、光源部材の発光効率の低下や熱劣化等を招くおそれがあるため対策が望まれていた。
【０００４】
本発明は上記のような事情に基づいて完成されたものであって、良好な放熱性を得ることが可能なバックライト装置、表示装置およびテレビ受信装置を提供することを目的とする。
【課題を解決するための手段】
【０００５】
本発明のバックライト装置は、光源部材と、前記光源部材を内部に配置する角形のバックライトシャーシと、前記バックライトシャーシの上辺部に沿って配置され前記バックライトシャーシの外部に連通する吸気口および排気口を有するシャーシ補強パイプと、前記吸気口及び前記排気口を通して前記シャーシ補強パイプ内に外気を流通させるパイプ用冷却ファンとを備える。
【０００６】
このような構成によれば、バックライトシャーシの上辺部に配置されたシャーシ補強パイプ内が冷却される。ここで、バックライトシャーシの上辺部は、光源部材から発生した熱がたまりやすい部分である。したがって、バックライトシャーシの上辺部に設けられたシャーシ補強パイプを冷却することで効率のよい放熱が実現されるから、良好な放熱性を得ることができる。また、シャーシ補強パイプは、バックライトシャーシの外部に連通する吸気口および排気口を通して外気を流通させるから、外気がバックライトシャーシ内に出入りすることはなく、もってバックライトシャーシ内に埃等が入り込む事態を防ぐことができる。
【０００７】
また、前記バックライトシャーシの裏面には、放熱フィンが備えられているものとしてもよい。このような構成によれば、光源部材から発生した熱は、バックライトシャーシから放熱フィンに伝達し放散される。したがって、さらに放熱性を良くすることができる。
【０００８】
そして、前記放熱フィンを覆って同放熱フィンの周りに空気の通過路を形成するとともに所定位置にフィン用吸気口およびフィン用排気口が設けられた風路形成部材と、前記風路形成部材内に外気を循環させるフィン用冷却ファンとを備えるものとしてもよい。このような構成によれば、放熱フィンの周りに形成された空気の通過路を外気が循環するので、放熱フィンからの放熱効率をさらに高めることができる。
【０００９】
前記シャーシ補強パイプの吸気口および排気口は、同シャーシ補強パイプのうち前記バックライトシャーシの裏側に対応する部分に設けられているものとしてもよい。このような構成によれば、吸気口および排気口が、例えばシャーシ補強パイプの上面または両端面に設けられている場合に比べて目に付きにくく、見栄えを良くすることができる。
【００１０】
前記フィン用吸気口は前記風路形成部材の下端寄り位置に設けられ、前記フィン用排気口は前記風路形成部材の上端寄り位置に設けられているものとしてもよい。これにより、風路形成部材内を、下方から上方へ向かって外気が循環する。このような外気の流れは、上昇する熱気の流れに逆らわないものであるから、放熱効率を良くすることができる。
また、前記フィン用吸気口と前記フィン用排気口とは前記風路形成部材の幅方向における位置がほぼ等しくなるように設けられているものとしてもよい。
【００１１】
前記シャーシ補強パイプの吸気口と前記フィン用排気口とは、水平方向にずれた位置に設けられているものとしてもよい。このような構成によれば、フィン用排気口から排出された空気が、シャーシ補強パイプの吸気口に吸気されにくいので、放熱効率の低下を防ぐことができる。
【００１２】
前記フィン用排気口は複数が水平方向に並んで配置され、前記シャーシ補強パイプの吸気口は、並列する前記フィン用排気口の水平方向の外側に位置して設けられているものとしてもよい。このような構成によれば、シャーシ補強パイプの吸気口が隣り合うフィン用排気口の間に配置されている場合に比べて、フィン用排気口から排出された空気が、シャーシ補強パイプの吸気口に吸気されにくいから、放熱効率の低下を防ぐことができる。
【００１３】
また、前記シャーシ補強パイプの吸気口と前記フィン用排気口とは前記バックライトシャーシの表裏方向にずれた位置に設けられているものとしてもよい。このような構成によれば、フィン用排気口から排出された空気がシャーシ補強パイプの吸気口に吸気されにくいから、放熱効率の低下を防ぐことができる。
前記シャーシ補強パイプの吸気口と前記フィン用排気口とは水平方向においては一列に並ぶように配置されているものとしてもよい。
【００１４】
前記光源部材は、放電管であるものとしてもよい。
また、前記放電管は熱陰極管であるものとしてもよい。
本発明の表示装置は、前記バックライト装置と、前記バックライト装置からの光を利用して表示を行う表示パネルとを備える。
前記表示パネルが液晶を用いた液晶パネルであるものとしてもよい。
【００１５】
本発明のテレビ受信装置は、前記表示装置を備えることに特徴を有する。
また、前記表示装置を表裏から挟むようにして収容するキャビネットを有し、このキャビネットのうち裏側のキャビネットには、前記キャビネットを内外方向に貫通する貫通口が設けられているものとしてもよい。このような構成によれば、バックライト装置から排出された空気は、貫通口からキャビネットの外部へ排出されるから、キャビネット内に熱がこもりにくくすることができる。
【発明の効果】
【００１６】
本発明によれば、良好な放熱性を得ることが可能なバックライト装置、表示装置およびテレビ受信装置を提供することができる。
【発明を実施するための最良の形態】
【００１７】
＜実施形態１＞
以下、本発明の実施形態１を図１〜図４によって説明する。
本実施形態では、液晶表示装置１０（表示装置）を備えるテレビ受信装置ＴＶについて例示する。テレビ受信装置ＴＶは、図１に示すように、液晶表示装置１０と、液晶表示装置１０を表裏から挟むようにして収容するキャビネットＣＡ，ＣＢと、電源Ｐと、テレビ放送などを受信するためのチューナーＴＮと、スタンドＳとを備えている。液晶表示装置１０は、表示面を略垂直方向に向けた縦置き姿勢でキャビネットＣＡ，ＣＢ内に収容されている。以下、各構成部材において、図１の左下側（テレビ受信装置ＴＶの正面側、表示側）を表方、右上側を裏方とし、また上側を上方、下側を下方として説明する。
【００１８】
液晶表示装置１０は、表裏方向から見ると全体として横長な矩形状をなし、図２に示すように、画像を表示可能な液晶パネル１１（本発明の表示パネルに該当する）と、液晶パネル１１に向けて光を照射する外部光源であるバックライト装置２０とを有し、これらがベゼル１２等の保持部材により一体的に保持されてなる。
【００１９】
液晶パネル１１は、横長の矩形状をなす一対の透明な（透光性を有する）ガラス製の基板と、両基板の間に介在し、電圧印加に伴って光学特性が変化する液晶層（図示せず）とを有してなる。なお、液晶パネル１１の表面および裏面には、図示しない偏光板が貼り付けられている。
【００２０】
液晶パネル１１は、その表示領域を取り囲む枠状をなす金属製（例えばアルミ製）のベゼル１２とフレーム１３との間に挟まれて保持されている（図２参照）。
ベゼル１２は、全体として液晶パネル１１の周縁部に沿う横長な枠状をなし、液晶パネル１１の表側に配されて液晶パネル１１と略平行をなすベゼル表板部１２Ａと、液晶パネル１１の外周側に配されて液晶パネル１１の板面に対して略垂直をなすベゼル外板部１２Ｂとを有している。ベゼル外板部１２Ｂは、ベゼル表板部１２Ａの外周縁から裏側に屈曲された形状をなし、ベゼル１２は断面Ｌ字状をなしている。
【００２１】
フレーム１３は、全体として液晶パネル１１の周縁部に沿う、ベゼル１２よりも一回り小さい横長な枠状をなしている。フレーム１３は、液晶パネル１１の裏側に配されて液晶パネル１１と略平行をなすフレーム裏板部１３Ａと、液晶パネル１１の外周側に配されて液晶パネル１１の板面に対して略垂直をなすフレーム外板部１３Ｂとを有している。フレーム外板部１３Ｂは、フレーム裏板部１３Ａの外周縁から裏側に屈曲された形状をなし、フレーム１３は断面Ｌ字状をなしている。
【００２２】
フレーム裏板部１３Ａはベゼル表板部１２Ａと略平行に配され、この間に液晶パネル１１の周縁部が挟まれている。また、フレーム外板部１３Ｂは、後述するシャーシ補強パイプ２３の外周面の略全体を覆い、フレーム外板部１３Ｂの外周側には、ベゼル外板部１２Ｂが重なって配されている。なお、フレーム外板部１３Ｂとベゼル外板部１２Ｂとは略平行をなし、フレーム外板部１３Ｂの大部分が、ベゼル外板部１２Ｂにより覆われている。
【００２３】
フレーム１３には、フレーム補強パイプ１４が取り付けられている。フレーム補強パイプ１４は、フレーム外板部１３Ｂの内周面に沿って配置されている。フレーム補強パイプ１４は、フレーム１３の全周にわたって備えられ、フレーム１３の四辺に配置された各フレーム補強パイプ１４は、それぞれ両端が閉じた角筒状をなし、端部同士を連結することで、全体として横長な枠状に形成されている。フレーム補強パイプ１４は断面略長方形状をなし、その長手方向がフレーム裏板部１３Ａと略平行をなす向きで、溶接などによりフレーム１３に固定されている。
【００２４】
フレーム補強パイプ１４とフレーム裏板部１３Ａとの間には、後述する光源部材３４からの光を面状で均一な光に変換するなどの機能を有する光学部材１５が挟まれて保持されている。光学部材１５は、異なる機能を有するものが複数枚積層されてなり、例えば裏側から順に拡散板、拡散シート、レンズシート、及び輝度上昇シートとされている。
【００２５】
バックライト装置２０は、所謂直下型のバックライト装置２０であって、液晶パネル１１の裏面直下に備えられている。
バックライト装置２０は、角形のバックライトシャーシ２１を備えている。バックライトシャーシ２１は金属製であって、全体として表側へ開口する浅皿状をなし、平板状をなす底板２２と、底板２２の周縁部に取り付けられたシャーシ補強パイプ２３により構成されている。
【００２６】
底板２２は、平面視すると、液晶パネル１１よりも一回り大きい横長な矩形状をなし、液晶パネル１１と略平行に配置されている。この底板２２の表面には、後述する光源部材３４からの光を液晶パネル１１側へ反射させる反射シート２４が敷設されている。
【００２７】
シャーシ補強パイプ２３は、底板２２の表側に取り付けられている。シャーシ補強パイプ２３は、底板２２の上辺部に配置される上辺シャーシ補強パイプ２３Ａ、底板２２の下辺部に配置される下辺シャーシ補強パイプ２３Ｂ、底板２２の両側辺部に配置される側辺シャーシ補強パイプ２３Ｃとにより構成されている（図３参照）。
【００２８】
各シャーシ補強パイプ２３Ａ，２３Ｂ，２３Ｃは、両端が閉じた角筒状をなし、それぞれの端部同士を連結することで、全体として横長な枠状に形成されている。詳しくは、各シャーシ補強パイプ２３Ａ，２３Ｂ，２３Ｃ同士の連結は、以下のようになされている。側辺シャーシ補強パイプ２３Ｃの両端部には、それぞれ図示しない連結部材が取り付けられ、各連結部材には、側辺シャーシ補強パイプ２３Ｃの端部に取り付けられた状態において、その軸方向に突出する複数の係合突起（図示せず）が備えられている。一方、上辺シャーシ補強パイプ２３Ａおよび下辺シャーシ補強パイプ２３Ｂの両端部には、両シャーシ補強パイプ２３Ａ，２３Ｂを略平行に配置したときに対向する側に、連結部材の係合突起を挿入可能な複数の係合孔（図示せず）が形成されている。そして、側辺シャーシ補強パイプ２３Ｃの両端部に取り付けた連結部材の係合突起を、それぞれ上辺シャーシ補強パイプ２３Ａおよび下辺シャーシ補強パイプ２３Ｂの係合孔に挿入することで、各シャーシ補強パイプ２３Ａ，２３Ｂ，２３Ｃの接続がなされている。なお、各シャーシ補強パイプ２３Ａ，２３Ｂ，２３Ｃ同士は、係合突起と係合孔との係合部分を除き、互いに連通しない構造とされている。
【００２９】
各シャーシ補強パイプ２３Ａ，２３Ｂ，２３Ｃは断面略長方形状をなし、その長手方向が底板２２の板面と略垂直をなす向きで、溶接などにより底板２２に固定されている（図２参照）。シャーシ補強パイプ２３の長手方向の両端面のうち底板２２に固定された側とは反対側の面は、フレーム補強パイプ１４の裏面に当接した状態になっている。
【００３０】
各シャーシ補強パイプ２３Ａ，２３Ｂ，２３Ｃの内周面は、開口部分が全く形成されていない連続した板面とされ、各シャーシ補強パイプ２３Ａ，２３Ｂ，２３Ｃは、バックライトシャーシ２１内とは連通しない構造とされ、言い換えると、底板２２とシャーシ補強パイプ２３の内周面とにより囲まれた空間は、裏側および外周側に閉じた空間とされている。
【００３１】
シャーシ補強パイプ２３のうち上辺シャーシ補強パイプ２３Ａには、バックライトシャーシ２１の外部に連通するパイプ吸気口２５（本発明のシャーシ補強パイプの吸気口に該当する）およびパイプ排気口２６（シャーシ補強パイプの排気口に該当する）が所定箇所に形成されている。このパイプ吸気口２５およびパイプ排気口２６については、後ほど詳細に説明する。
【００３２】
バックライトシャーシ２１の内部（底板２２およびシャーシ補強パイプ２３に囲まれてなる部分）には、液晶パネル１１に向けて光を照射可能な光源部材３４（本実施形態では熱陰極管）が複数本収容されている。複数本の光源部材３４は、それぞれの軸線がバックライトシャーシ２１の長辺方向（水平方向）と一致する向きで並列配置されている。各光源部材３４は、バックライトシャーシ２１に固定された図示しないランプクリップによって保持されている。なお、シャーシ補強パイプ２３とフレーム補強パイプ１４との間は分離可能とされ、これにより光源部材３４の交換を容易に行うことが可能とされている。
【００３３】
バックライトシャーシ２１の裏面（底板２２の裏面）には、複数の放熱フィン２７が備えられている。放熱フィン２７は、熱伝導性の良い金属（アルミ等）によって形成され、バックライトシャーシ２１の裏面から薄板状をなして突出するとともに、バックライトシャーシ２１の短手方向（上下方向）に延びる長細い形状をなしている。放熱フィン２７は、複数本がバックライトシャーシ２１の長手方向に並列して設けられている。
【００３４】
バックライトシャーシ２１の裏面には、放熱フィン２７を覆って放熱フィン２７の周りに空気の通過路を形成する風路板３０（本発明の風路形成部材に該当する）が備えられている。風路板３０は、バックライトシャーシ２１よりも一回り小さい横長の長方形状をなし、全ての放熱フィン２７を一括して覆っている。風路板３０の短手方向寸法は、バックライトシャーシ２１のうち上辺シャーシ補強パイプ２３Ａよりも下側の位置から、下辺シャーシ補強パイプ２３Ｂの下端寄りの位置に至る（下辺シャーシ補強パイプ２３Ｂの大部分を覆う）寸法とされている（図３参照）。また、風路板３０の長手方向寸法は、その長手方向の両端縁部が両側辺シャーシ補強パイプ２３Ｃの裏側に重なる寸法とされている。
【００３５】
そして、風路板３０には、所定位置にフィン用吸気口３１およびフィン用排気口３２が設けられている。
フィン用吸気口３１は、風路板３０の下端寄り位置に設けられている。フィン用吸気口３１は、３つが水平方向（バックライトシャーシ２１の長手方向に沿う方向）に略等間隔で並べられている。各フィン用吸気口３１は、バックライトシャーシ２１の長手方向に細長い略長方形をなし、風路板３０の板厚方向（表裏方向）に開口している。３つのフィン用吸気口３１は、略同形・同大をなし、その高さ位置（上下方向の位置）は略同一とされている。各フィン用吸気口３１は、その長手方向がバックライトシャーシ２１の長手方向と一致する向きで並べられている。３つのフィン用吸気口３１のうち真ん中のフィン用吸気口３１は、バックライトシャーシ２１の長手方向の略中央に位置している。
【００３６】
フィン用排気口３２は、風路板３０の上端寄り位置に設けられている。フィン用排気口３２は、フィン用吸気口３１と同様、バックライトシャーシ２１の長手方向に細長い略長方形をなして風路板３０の板厚方向に開口しており、フィン用吸気口３１と略同形・同大とされている。フィン用排気口３２は、３つが水平方向に等間隔で並べられ、その高さ位置は略同一とされている。３つのフィン用排気口３２は、その長手方向がバックライトシャーシ２１の長手方向と一致する向きで並べられている。３つのフィン用排気口３２は、それぞれフィン用吸気口３１の真上に位置しており、言い換えると、３つのフィン用排気口３２と３つのフィン用吸気口３１とは、それぞれ風路板３０の幅方向における位置（バックライトシャーシ２１の長手方向における位置）がほぼ等しくなるように設けられている。
【００３７】
バックライト装置２０には、風路板３０の内側（風路板３０とバックライトシャーシ２１との間の空間）に外気を循環させるフィン用冷却ファン３３が備えられている（図４参照）。フィン用冷却ファン３３は、フィン用排気口３２の位置に設置されている。フィン用冷却ファン３３は、風路板３０内の空気を外部へと排出するようになっている。そして、風路板３０の下端のフィン用吸気口３１から外気が取り込まれ、上端のフィン用排気口３２から排出されることで、風路板３０内に外気が循環するようになっている。
【００３８】
そして、上辺シャーシ補強パイプ２３Ａには、パイプ吸気口２５およびパイプ排気口２６が設けられている。
パイプ吸気口２５およびパイプ排気口２６は、図３に示すように、上辺シャーシ補強パイプ２３Ａの軸方向に長い略長方形状をなし、シャーシ補強パイプ２３の裏面に開口して設けられている。
【００３９】
パイプ排気口２６は、フィン用排気口３２と略同形・同大をなし、上辺シャーシ補強パイプ２３Ａの軸方向の略中央の一箇所に設けられている。パイプ排気口２６は、フィン用排気口３２の真上に位置している。
【００４０】
パイプ吸気口２５は、パイプ排気口２６よりも若干小さい長方形状をなし、上辺シャーシ補強パイプ２３Ａの両端部（バックライトシャーシ２１の上端角部）に一対設けられている。一対のパイプ吸気口２５は、フィン用排気口３２の真上位置よりも側方にずれて設けられ、言い換えると、パイプ吸気口２５とフィン用排気口３２とは、水平方向にずれた位置に設けられている。各パイプ吸気口２５は、その全体が、フィン用排気口３２よりも側方にずれて設けられている。一対のパイプ吸気口２５は、並列するフィン用排気口３２の水平方向における両外側に位置している。
【００４１】
パイプ吸気口２５およびパイプ排気口２６と、フィン用吸気口３１およびフィン用排気口３２とは、表裏方向にずれた位置に設けられている（図４参照）。フィン用排気口３２は、風路板５０の表裏方向寸法分だけパイプ吸気口２５よりも裏側に位置している。また、パイプ吸気口２５およびパイプ排気口２６とフィン用排気口３２とは、上下方向にずれた位置に配され、フィン用排気口３２は、パイプ吸気口２５およびパイプ排気口２６の下段に位置している。
【００４２】
そして、バックライトシャーシ２１の底板２２のうちパイプ吸気口２５およびパイプ排気口２６と表裏方向に重なる部分は、それぞれ開口部２８とされている（図４参照）。各開口部２８は、パイプ吸気口２５およびパイプ排気口２６と略同形・同大をなして、底板２２を板厚方向（表裏方向）に貫通している。
【００４３】
そして、バックライト装置２０には、上辺シャーシ補強パイプ２３Ａ内に外気を循環させるパイプ用冷却ファン２９が備えられている。パイプ用冷却ファン２９は、パイプ排気口２６の位置に設置され、上辺シャーシ補強パイプ２３Ａ内の空気を外部へと排出するようになっている。そして、上辺シャーシ補強パイプ２３Ａの両端部のパイプ吸気口２５から外気が取り込まれ、中央のパイプ排気口２６から排出されることで、上辺シャーシ補強パイプ２３Ａ内に外気が循環するようになっている。
【００４４】
なお、液晶表示装置１０を表裏から挟むようにして収容するキャビネットＣＡ，ＣＢのうち裏側のキャビネットＣＢには、パンチングメタル（図示せず）が取り付けられ、パンチングメタルに開口された孔により、キャビネットを内外方向に貫通する複数の貫通口が形成されている。
【００４５】
次に、上記のように構成された実施形態１の作用および効果について説明する。
液晶表示装置１０の電源をＯＮにすると光源部材３４が点灯され、それに伴って光源部材３４から発生する熱により、バックライトシャーシ２１内の空気は温度が高くなって上昇する。ここで、バックライトシャーシ２１の上方にはフレーム外板部１３Ｂおよびベゼル外板部１２Ｂが重なって配置され、このためバックライトシャーシ２１の上辺部は断熱傾向にあり、光源部材３４から発生した熱がたまりやすくなっている。
【００４６】
そして、本実施形態においては、バックライトシャーシ２１の上辺部には、所定箇所にパイプ吸気口２５およびパイプ排気口２６が形成されるとともにバックライトシャーシ２１内とは連通しないシャーシ補強パイプ２３が配置され、またシャーシ補強パイプ２３内に外気を循環させるパイプ用冷却ファン２９が備えられている。これにより、最も熱がたまりやすいバックライトシャーシ２１の上辺部に設けられたシャーシ補強パイプ２３内が冷却されるから、効率のよい放熱が実現され、良好な放熱性を得ることができる。また、シャーシ補強パイプ２３は、バックライトシャーシ２１内とは連通していないので、シャーシ補強パイプ２３内を循環する外気がバックライトシャーシ２１内に出入りすることはなく、もってバックライトシャーシ２１内に埃等が入り込む事態を防ぐことができる。
【００４７】
また、バックライトシャーシ２１の裏面には、放熱フィン２７が備えられているから、光源部材３４から発生した熱は、バックライトシャーシ２１から放熱フィン２７に伝達し放散される。したがって、放熱フィン２７が設けられていない場合に比べて、放熱性をより高めることができる。
【００４８】
また、バックライト装置２０は、放熱フィン２７を覆うとともに、所定位置にフィン用吸気口３１およびフィン用排気口３２が設けられた風路板３０と、風路板３０内に外気を循環させるフィン用冷却ファン３３とを備えている。したがって、放熱フィン２７の周りに形成された空気の通過路を外気が循環するから、放熱フィン２７からの放熱効率をさらに高めることができる。
【００４９】
また、パイプ吸気口２５およびパイプ排気口２６は、シャーシ補強パイプ２３の裏面に設けられているので、例えばパイプ吸気口２５およびパイプ排気口２６が上面または両端面に設けられている場合に比べて目に付きにくく、見栄えを良くすることができる。
【００５０】
また、フィン用吸気口３１は風路板３０の下端寄り位置に設けられ、フィン用排気口３２は風路板３０の上端寄り位置に設けられている。したがって、風路板３０内を、下方から上方へ向かって外気が循環する。このような外気の流れは、上昇する熱気の流れに逆らわないものであるから、放熱効率を良くすることができる。
【００５１】
また、パイプ吸気口２５とフィン用排気口３２とは、水平方向にずれた位置に設けられている。したがって、フィン用排気口３２から排出された空気が、パイプ吸気口２５に吸気されにくいので、放熱効率の低下を防ぐことができる。
【００５２】
また、フィン用排気口３２は複数が水平方向に並んで配置され、パイプ吸気口２５は、並列するフィン用排気口３２の水平方向の外側に設けられている。これにより、例えばパイプ吸気口がフィン用排気口の間に配置されている場合に比べて、フィン用排気口３２から排出された空気が、パイプ吸気口２５に吸気されにくいから、放熱効率の低下を防ぐことができる。
【００５３】
また、表示装置を表裏から挟むようにして収容するキャビネットＣＡ，ＣＢのうち裏側のキャビネットＣＢには、キャビネットＣＡ，ＣＢを内外方向に貫通する貫通口が設けられている。これにより、バックライト装置２０のパイプ排気口２６またはフィン用排気口３２から排出された空気は、貫通口からキャビネットＣＡ，ＣＢの外部へ排出されるから、キャビネットＣＡ，ＣＢ内に熱がこもりにくくすることができる。
【００５４】
以上説明したように実施形態１によれば、バックライトシャーシ２１の上辺部に設けられたシャーシ補強パイプ２３を冷却することで効率のよい放熱が実現されるから、良好な放熱性を得ることができる。また、シャーシ補強パイプ２３は、バックライトシャーシ２１内とは連通しないから、シャーシ補強パイプ２３内を循環する空気がバックライトシャーシ２１内に出入りすることはなく、もってバックライトシャーシ２１内に埃等が入り込む事態を防ぐことができる。
【００５５】
＜実施形態２＞
次に、本発明の実施形態２に係るテレビ受信装置ＴＶを図５〜図７によって説明する。
本実施形態のテレビ受信装置ＴＶは、パイプ吸気口２５とフィン用排気口３２とが横一列（水平方向に一列）に並べて配置されている点で、実施形態１とは相違する。なお、実施形態１と同様の構成には同一符号を付して重複する説明を省略する。
【００５６】
本実施形態に係るテレビ受信装置ＴＶは、実施形態１と同様に、液晶パネル１１とバックライト装置２０とを有し、これらがベゼル１２等の保持部材により一体的に保持されてなる液晶表示装置１０を備えている。
【００５７】
そして、バックライト装置２０は、実施形態１と同様、底板２２と、シャーシ補強パイプ２３とから構成された角形のバックライトシャーシ２１を有し、バックライトシャーシ２１の内部には、複数本の光源部材３４が収容されている。
【００５８】
また、バックライトシャーシ２１の裏面（底板２２の裏面）には、実施形態１と同様、複数の放熱フィン２７と、この放熱フィン２７を覆う風路板５０とが備えられている。風路板５０は、全体としてバックライトシャーシ２１よりも一回り小さい横長の長方形状をなすとともに、上辺部の２箇所が上方へ突出した形状をなしている。なお、この風路板５０のうち上方に突出した部分を風路板突出部５１と称する。
【００５９】
風路板突出部５１は、下端に並べて配置された３つのフィン用吸気口３１のうち両端に配置されたフィン用吸気口３１の真上の位置に設けられている。風路板突出部５１は、裏側から見ると、水平方向に細長い略長方形状をなしてバックライトシャーシ２１の上縁位置まで突出しており、風路板突出部５１の上面とバックライトシャーシ２１の上面（上辺シャーシ補強パイプ２３Ａの上面）とは平坦な面を形成している。
【００６０】
そして、各風路板突出部５１には、フィン用排気口３２が１ずつ設けられている。フィン用排気口３２は、実施形態１と同様、バックライトシャーシ２１の長手方向に細長い略長方形をなして風路板突出部５１を板厚方向（表裏方向）に開口している。２つのフィン用排気口３２は、実施形態１と同様、それぞれフィン用吸気口３１の真上に位置しており、言い換えると、２つのフィン用排気口３２と、３つのフィン用吸気口３１のうち両端のフィン用吸気口３１とは上下方向に揃った位置（バックライトシャーシ２１の長手方向における位置が同一となる位置）に設けられている。
【００６１】
そして、バックライト装置２０には、実施形態１と同様、フィン用排気口３２の位置に、風路板５０内（風路板５０とバックライトシャーシ２１との間の空間）に外気を循環させるフィン用冷却ファン３３が備えられている（図７参照）。
【００６２】
また、上辺シャーシ補強パイプ２３Ａには、実施形態１と同様、パイプ吸気口２５およびパイプ排気口２６が設けられている。パイプ排気口２６は、実施形態１と同様、上辺シャーシ補強パイプ２３Ａの軸方向の略中央の一箇所、言い換えると、上辺シャーシ補強パイプ２３Ａのうち一対の風路板突出部５１の間の位置に設けられている。パイプ排気口２６は、３つのフィン用吸気口３１のうち真ん中のフィン用吸気口３１の真上に位置している。
【００６３】
そして、パイプ吸気口２５は、実施形態１と同様、上辺シャーシ補強パイプ２３Ａの両端に一対設けられている。一対のパイプ吸気口２５は、上辺シャーシ補強パイプ２３Ａのうち一対の風路板突出部５１の両側方の位置、すなわち、フィン用排気口３２よりも側方にずれた位置に設けられている。
【００６４】
パイプ吸気口２５とフィン用排気口３２とは、水平方向に一列に並んで配置されている。フィン用排気口３２は、風路板５０の表裏方向寸法分だけパイプ吸気口２５よりも裏側に位置しており、すなわちパイプ吸気口２５とフィン用排気口３２とは表裏方向にずれた位置に設けられている（図６および図７参照）。
【００６５】
また、バックライト装置２０には、実施形態１と同様、パイプ排気口２６の位置に、パイプ用冷却ファン２９が備えられている。
【００６６】
上記のように構成された実施形態２によれば、バックライトシャーシ２１の上辺部に設けられたシャーシ補強パイプ２３を冷却することで効率のよい放熱が実現されるから、実施形態１と同様、良好な放熱性を得ることができる。また、水平方向に一列に並べて配置されたパイプ吸気口２５とフィン用排気口３２とは、表裏方向にずれた位置に設けられているから、フィン用排気口３２から排出された空気がパイプ吸気口２５に吸気されにくく、もって放熱効率の低下を防ぐことができる。
【００６７】
＜他の実施形態＞
本発明は上記記述及び図面によって説明した実施形態に限定されるものではなく、例えば次のような実施形態も本発明の技術的範囲に含まれる。
【００６８】
（１）上記実施形態では、シャーシ補強パイプ２３Ａ，２３Ｂ，２３Ｃ同士は、連通しない構造とされているが、これらを連通させる構造としてもよく、例えば、上辺シャーシ補強パイプと側辺シャーシ補強パイプとの連結部分に、上辺シャーシ補強パイプ内と側辺シャーシ補強パイプ内とに連通する開口を形成する等してもよい。
【００６９】
（２）上記実施形態では、風路形成部材３０，５０は、全ての放熱フィン２７を一括して覆う形態とされているが、これに限らず、例えば、風路形成部材は、放熱フィンを複数本ずつわけて覆う形態としてもよい。
（３）上記実施形態では、光源部材３４は熱陰極管とされているが、これに限らず、冷陰極管またはＬＥＤ等、どのような種類の光源部材とされていてもよい。
【００７０】
（４）上記実施形態では、パイプ吸気口２５およびパイプ排気口２６は、上辺シャーシ補強パイプ２３Ａの裏面に設けられているが、これに限らず、パイプ吸気口およびパイプ排気口は上辺シャーシ補強パイプのどの面に設けられていてもよく、例えば、上辺シャーシ補強パイプの両端面にパイプ吸気口を設け、上面にパイプ排気口を設ける等してもよい。
【００７１】
（５）上記実施形態では、フィン用吸気口３１とフィン用排気口３２とは上下方向に揃った位置に設けられているが、これらは水平方向に位置がずれていてもよい。
（６）上記実施形態では、パイプ吸気口２５とフィン用排気口３２とは、水平方向にずれた位置に設けられているが、これに限らず、例えばパイプ吸気口とフィン用排気口とは、上下方向に揃う位置にあって、互いに上下方向に十分な間隔を空けた位置に設けられていても良い。
【００７２】
（７）上記実施形態では、パイプ吸気口２５は、並列するフィン用排気口３２の水平方向の両外側に設けられているが、これに限らず、パイプ吸気口は、隣り合うフィン用排気口の間の位置に設けられていてもよい。
【００７３】
（８）上記実施形態では、各パイプ吸気口２５は、その全体が、フィン用排気口３２よりも側方にずれて設けられているが、これに限らず、例えば各パイプ吸気口の一部分のみがフィン用排気口よりも側方にずれて設けられていてもよい。
【図面の簡単な説明】
【００７４】
【図１】実施形態１にかかるテレビ受信装置の概略を示す分解斜視図
【図２】液晶表示装置の断面図
【図３】パイプ吸気口、パイプ排気口、フィン用吸気口およびフィン用排気口の位置を表す概念図
【図４】図３のＡ−Ａ断面図
【図５】実施形態２にかかるテレビ受信装置においてパイプ吸気口、パイプ排気口、フィン用吸気口およびフィン用排気口の位置を表す概念図
【図６】図５のＢ−Ｂ断面図
【図７】図５のＣ−Ｃ断面図
【符号の説明】
【００７５】
ＣＢ…裏側のキャビネット
ＴＶ…テレビ受信装置
１０…液晶表示装置（表示装置）
１１…液晶パネル（表示パネル）
２０…バックライト装置
２１…バックライトシャーシ
２３Ａ…上辺シャーシ補強パイプ
２５…パイプ吸気口（吸気口）
２６…パイプ排気口（排気口）
２７…放熱フィン
２９…パイプ用冷却ファン
３０，５０…風路板（風路形成部材）
３１…フィン用吸気口
３２…フィン用排気口
３３…フィン用冷却ファン
３４…光源部材
【図１】
2010097859.tif 000003
【図２】
2010097859.tif 000004
【図３】
2010097859.tif 000005
【図４】
2010097859.tif 000006
【図５】
2010097859.tif 000007
【図６】
2010097859.tif 000008
【図７】
2010097859.tif 000009